(57)【要約】      （修正有）【課題】包埋容器専用の機器を持ち入らなくとも、表示札の形状をスライドガラスと同形状・同厚さにすることにより、スライドガラス印字機を用いて患者情報を記載可能であり、手書きの手間を解消できる。また、接着剤を使用しないことから作業中に有機溶媒の暴露で表示札が包埋容器から分離してしまうことがない。【解決手段】病理組織を入れるための包埋容器１の側面に標本情報の表示札を固定するための穴１ａを設け、別途、その穴部分に接合可能な爪２ａを持ち標本情報が記載可能な表示札２を用意し、表示札に患者情報を記載した後、包埋容器に施した穴に表示札の爪を結合させ一体化させる。【選択図】図１
2013142690.tif 000002
【特許請求の範囲】
【請求項１】
病理組織を包埋処理するための包埋容器の側面に、標本情報が記載可能な表示札を固定するための穴を設け、別途、その穴部分に接合可能な爪を持つ標本情報が記載可能な表示札を用意し、使用時に表示札と包埋容器を結合して病理組織を包埋処理することが可能な、ふたつの部品から成る病理組織を包埋処理するための病理包埋容器。
【発明の詳細な説明】
【技術分野】
【０００１】病院や検査センターなどで人体や動物の病気や疾病の状態を把握する目的において、人体の組織の一部を採取し、組織をパラフィンブロックにした後、薄切・染色などを行い採取した組織細胞像を顕微鏡で観察することがある。本発明の技術分野は、病院や検査センターなどで採取した組織の一部を収納する包埋容器について関する。
【背景技術】
【０００２】  従来、病院や検査センターなどで人体や動物の病気や疾病の状態を把握する場合、人体から採取した組織の一部を消しゴム程度の大きさのプラスチックで成型された包埋容器に入れ、標本の作製を行うことがあった。
【発明の開示】
【発明が解決しようとする課題】
【０００３】これは次のような欠点があった。
イ．カセットにＩＤや氏名などの患者情報記載する際は、包埋容器に鉛筆などの筆記用具    を用い、その情報を記載しなければならない手間があった。
ロ．また、包埋容器にポリエチレンテレフタレートを主成分とするフィルム状のラベル基    材の裏面にシアノアクリレート系接着剤にて添付する従来の方法は、クロロホルなど    の有機溶媒で患者情報を記載したラベルが作業工程中に剥がれてしまうことがあった    。
ハ．さらに、包埋容器に患者情報を直接自動で記載する場合は、比較的大きく特別な機械    を用いる必要があり、その場合でも使用できる包埋容器の形状や種類に制限があった    。
【課題を解決するための手段】
【０００４】以上の課題を解決するために、病理組織を入れるための包埋容器の側面に標本情報の表示札を固定するための穴を設け、別途、その穴部分に接合可能な爪を持ち標本情報が記載可能な表示札を用意し、表示札に患者情報を記載した後、包埋容器に施した穴に表示札の爪を結合させ一体化させる。本発明は、患者情報を記載することが可能な表示札と、表示札を固定することが可能な包埋容器との、ふたつの部品から成る病理検査用包埋容器である。
【発明の効果】
【０００５】  本発明によれば、包埋容器専用の機器を持ち入らなくとも、表示札の形状をスライドガラスと同形状・同厚さにすることによりスライドガラス印字機を用いて患者情報を記載可能であり、その際には手書きの手間を解消できる。また、接着剤を使用しないことから作業中に有機溶媒の暴露で表示札が包埋容器から分離してしまうことがない。さらに、包埋容器を機械にセットする必要がないことから使用する包埋容器の形状や色などに制限がなくなり、包埋材料である組織の大きさに適合した最良の包埋容器を選択できる。
【発明を実施するための最良の形態】
【０００６】  以下、この本発明の好ましい一実施の形態を説明する。
（イ）  包埋容器本体（１）の正面に、表示札（２）の爪（２ａ）が装着可能な大きさの        穴（１ａ）を設ける。
（ロ）  正面が平らな長方形の形を有した表示札（２）の背面に、包埋容器本体（１）の        正面の穴（１ａ）に装着可能な爪（２ａ）を設ける。
（ハ）  正面が平らな長方形の形を有した表示札（２）の正面に患者などの情報を記載し        た後に、表示札（２）に施した爪（２ａ）を、包埋容器本体（１）の正面に施し        た穴（１ａ）に挿入し、包埋容器本体（１）と表示札（２）を合体させる。
（ニ）  包埋容器本体（１）の中に組織などの検査材料を投入し、包埋容器本体（１）上        部に開口した部分に、包埋容器蓋（３）を接合させ、組織が包埋容器本体（１）        外部に移動しないよう収納する。本発明は、以上の構成よりなる。【０００７】  本発明の構成材質は、限定されないがプラスチック、アクリル、紙または金属板で構成されることが望ましく、その他材料であっても病理組織を包埋することが可能な材質であれば本発明の主旨を逸脱しない。【０００８】  本発明にて使用する包埋容器の大きさや形状は、マッチ箱に類似した形状が望ましいが、その大きさや形は一定の形に限定されず、円形や球状その他の形状や大きさでも組織を収納可能な容器であれば本発明の主旨を逸脱しない。【０００９】  本発明の包埋容器本体（１）と表示札（２）の接合部の形状や接合部は、ひとつの結合の方法に限定されず、患者情報等を記載できる表示札が包埋本体に接合可能で、作業途中の工程で安易に分離してしまうことのない仕組みの結合構造であれば、いずれも構造でも本発明の主旨を逸脱しない。【００１０】  本発明の接合部はひとつであることが望ましいが、接合に用いる場所は一定の場所や数に限定されず包埋容器内部の組織を収納し、容易く表示札がはずれてしまわない構造であれば複数の接合部が存在する形態であっても本発明の主旨を逸脱しない。【００１１】  本発明の包埋容器本体（１）と蓋（３）は、包埋装置の薬液が本体内部に挿入した組織などに浸透するよう細かい穴を設けることが必要であるが、いずれも構造でも本発明の主旨を逸脱しない。【００１２】  本発明の表示札の個別識別には、患者氏名やＩＤ番号の他に一元バーコード、二元バーコードを記載することが望ましく、また、ＩＣチップを埋め込んだＩＣタグを備え付ける方法も本発明の主旨を逸脱しない。
「実施発明の効果」【００１３】  本発明は以下の効果がある。
本発明によれば、表示札の形状をスライドガラスと同じ形状・厚さにすることが可能であり、病院検査部に多く設置されている既存のスライドガラス印字機を用いて、病理検査用の包埋容器に記載する患者情報を記載可能となり、従来多くの時間と手間を要していた手書き作業を解消することができる。また、スライドガラス印字機がない場合でも、表示札の形状は比較的小さいため自動印刷機器の形状を包埋容器に直接印字する従来のカセット印字プリンタに比較し小さくできる。また、使用する包埋容器の形状や色などに制限がないことから、組織の大きさにあった最良の形状や色の包埋容器を選択することが可能となる。【００１４】  また、胃や乳腺患者さまの外科組織の切り出し業務の際など、包埋容器の選択に制限がなくなり、切り出し後に切り出した組織の大きさにあった最良の容器を選択できる。また、事前に表示札だけを用意することが可能となり、従来、余分に見込んで用意した包埋容器の無駄を解消できる
【図面の簡単な説明】
【００１５】
【図１】本発明の包埋カセット容器の分解斜視図
【図２】本発明の包埋カセット容器縦断面図
【図３】本発明の包埋カセット容器の使用時の縦断面図
【図４】本発明の使用例
【符号の説明】
【００１６】１    包埋容器本体
１ａ  包埋容器穴
２    表示札
２ａ  表示札爪
３    蓋
【図１】
2013142690.tif 000003
【図２】
2013142690.tif 000004
【図３】
2013142690.tif 000005
【図４】
2013142690.tif 000006